(57)【要約】【課題】前面部の透光性パネルを通して商品を視認でき、移動自在のバケットユニットにより商品を搬送する自動販売機において、商品販売時に商品取出口に商品が排出されるまでの、イライラ感を緩和する。【解決手段】左右方向および上下方向に移動自在のバケットユニット１２に、バケットユニット１２の移動中に点滅して外部から視認できるＬＥＤ部４４が設けられている。この構成により、バケットユニット１２を移動させて商品収納部から払い出された商品を商品取出口に搬送する際に、移動しているバケットユニット１２に設けられたＬＥＤ部４４が点滅するため、利用客はこれを外部から、より良好に視認でき、商品８が搬送中であることを認識したり、移動するＬＥＤ部４４を見て楽しんだりすることができ、いわゆるイライラ感が緩和される。【選択図】図１０
2008262249.tif 000002
【特許請求の範囲】
【請求項１】
前面部に配設された透光性を有する透光性パネルを通して内部の商品収納部に収納された商品を視認でき、左右方向および上下方向に移動自在のバケットユニットにより、商品収納部から払い出された商品を商品取出口に搬送する自動販売機であって、
バケットユニットに、バケットユニットの移動中に点灯または点滅して外部から視認できる照明部が設けられていることを特徴とする自動販売機。
【請求項２】
バケットユニットの照明部を点灯させ、商品取出口の内部を前記照明部によって照明するように構成したことを特徴とする請求項１記載の自動販売機。
【請求項３】
販売待機時において照明部を点灯または点滅させながらバケットユニットを移動させるように制御する制御手段を備えたことを特徴とする請求項１または２に記載の自動販売機。
【発明の詳細な説明】
【技術分野】
【０００１】
本発明は自動販売機、特に、自動販売機の前面部に透光性を有するパネルが配設され、この透光性パネルを通して内部の商品収納部に収納された商品を視認できる、いわゆるシースルー型の自動販売機に関するものである。
【背景技術】
【０００２】
図１３、図１４に示すように、自動販売機５０の前面部５１に透光性を有する透光性パネル５２が配設され、この透光性パネル５２を通して内部の商品収納部５３に収納された商品５４を実際に視認できる、いわゆるシースルー型の自動販売機５０は既に知られている（例えば、特許文献１等）。この種の自動販売機によれば、商品見本を前面扉に展示している構成の自動販売機と異なり、商品見本ではなくて、実際の商品５４を見ながら利用者が商品５４を選択できる利点がある。
【０００３】
この種の自動販売機は、一般に、図１３、図１４に示すように、前面扉５５を開閉自在に支持する自動販売機本体５６内に、商品１を前後一列に収納する収納コラム５７を上下段、左右列に並べて商品収納部５３を構築し、この商品収納部５３に対して、その前方（手前側）にバケットユニット５８を搭載したＸ（左右）−Ｙ（上下）搬送機構５９（簡略的に移動範囲を仮想線で示す）を配備し、販売指示があった際に収納コラム５７から払い出した商品５４をバケットユニット５８に移載して商品取出口６０に送出する構造とされている。
【０００４】
商品を移載するためのバケットユニット５８は、販売待機時には、商品取出口６０の後方など、正面から見えない場所に配置されている。一方、商品を購入する利用者が、前面扉５５に設けられている操作部６１を操作して、購入商品に対応する番号などを入力すると、その番号に対応する収納コラム５７まで、バケットユニット５８が移動され、このバケットユニット５８に、収納コラム５７から払い出した商品５４が移載され、さらに、バケットユニット５８が商品取出口６０に対応する位置まで移動して、商品取出口６０内に排出される。
【特許文献１】特開平１０−３０２１４０号公報
【発明の開示】
【発明が解決しようとする課題】
【０００５】
この種のいわゆるシースルー型の自動販売機では、利用者が商品５４を選択（商品番号を入力）してから、商品取出口６０内に商品５４が払い出されるまでに、バケットユニット５８の商品取出口６０近傍箇所から選択商品に対応する収納コラム５７の箇所への移動動作と、商品５４の収納コラム５７からバケットユニット５８内への排出動作と、バケットユニット５８の収納コラム５７側から商品取出口６０近傍箇所への移動動作と、バケットユニット５８内から商品取出口６０内への排出動作とが必要である。したがって、利用者が商品５４を選択してから商品取出口６０に払い出されるまでに、比較的長い時間がかかり、利用者によっては待ち時間が長過ぎると感じることがあった。
【０００６】
つまり、シースルー型でない、一般の自動販売機、例えばサーペンタイン式の自動販売機においては、利用者によって商品が選択されると、商品の落下を規制しているストッパの規制を解除することで、商品収納部に収納している商品がその重力により落下してシュートにより案内されながら排出される構造であり、この種のサーペンタイン式の自動販売機と比較して、シースルー型の自動販売機では、商品が商品取出口６０に排出されるまでの動作が多くてその搬送時間が長いため、急いでいる利用者などに対して、気が急きながら思うようにならず、いらいらする感情（いわゆるイライラ感）を与えることがあった。
【０００７】
また、このシースルー型の自動販売機においても、前面扉５５内に設けた商品取出口６０に商品５４が排出される構造であるが、この商品取出口６０内が暗くて払い出された商品５４が見難い場合があった。これに対処する方法としては、商品取出口６０に、内部を照らす照明装置などを取り付けることが考えられるが、この場合には、商品取出口６０の内部を照らすだけのために、別途に照明装置を設けなければならないため、その分だけ製造コストが増加してしまう。
【０００８】
本発明は上記課題を解決するもので、前面部に配設された透光性パネルを通して商品を視認でき、移動自在のバケットユニットにより商品を商品取出口に搬送する自動販売機において、商品販売時に商品取出口に商品が排出されるまでの、気が急きながら思うようにならずいらいらする感情（いわゆるイライラ感）を緩和することができ、しかも、商品取出口内に払い出された商品を見易くすることもできる自動販売機を提供することを目的とするものである。
【課題を解決するための手段】
【０００９】
上記課題を解決するために本発明は、前面部に配設された透光性を有する透光性パネルを通して内部の商品収納部に収納された商品を視認でき、左右方向および上下方向に移動自在のバケットユニットにより、商品収納部から払い出された商品を商品取出口に搬送する自動販売機であって、バケットユニットに、バケットユニットの移動中に点灯または点滅して外部から視認できる照明部が設けられていることを特徴とする。
【００１０】
上記構成により、バケットユニットを移動させて商品収納部から払い出された商品を商品取出口に搬送する際に、移動しているバケットユニットに設けられた照明部が点灯または点滅するため、利用客はこれを外部から、より良好に視認でき、商品が搬送中であることを認識したり、移動する照明部を見て楽しんだりすることができ、商品取出口に商品が排出されるまでの、気が急きながら思うようにならずいらいらする感情（いわゆるイライラ感）が緩和される。
【００１１】
また、本発明は、バケットユニットの照明部を点灯させ、商品取出口の内部を前記照明部によって照明するように構成したことを特徴とする。
この構成により、バケットユニットに設けられた照明部によって、商品取出口内に払い出された商品が照明されて視認し易くなり、商品の取り出しの際に便利である。また、バケットユニットを移動させる際に点灯または点滅させる照明部を、商品取出口内を照明する照明部としても兼用することができるので、バケットユニットを移動させる際に点灯または点滅させる照明部とは別に商品取出口に照明部を設けた場合と比較して製造コストの増加を抑えることができる。
【００１２】
また、本発明は、販売待機時において照明部を点灯または点滅させながらバケットユニットを移動させるように制御する制御手段を備えたことを特徴とする。
この構成により、販売待機時において、照明部を点灯または点滅させながらバケットユニットが移動されるので、当該自動販売機を遠くからでも目立たせることができ、集客力が向上する。
【発明の効果】
【００１３】
本発明によれば、バケットユニットに、バケットユニットの移動中に点灯または点滅して外部から視認できる照明部を設けることで、商品が商品取出口に搬送される際に、移動しているバケットユニットの照明部が点灯または点滅するため、利用客はこの移動状態を、より良好に視認できて、外部から見て商品が搬送中であることを認識したり、移動する照明部を見て楽しんだりすることができ、商品取出口に商品が排出されるまで待たされることによる、気が急きながら思うようにならずいらいらする感情（いわゆるイライラ感）が緩和される。
【００１４】
また、バケットユニットの照明部を点灯させて、商品取出口の内部を前記照明部により照明することにより、商品取出口内に払い出された商品が照明されて見易くなって、商品の取り出しの際に便利となり、また、バケットユニットを移動させる際に点灯または点滅させる照明部が、商品取出口内を照明する照明部としても兼用されるので、別途に商品取出口内を照らす照明部を設けた場合と比較して製造コストの増加を抑えることができる。なお、バケットユニットが商品取出口に到着する前（商品取出口に移動の際）から照明部を点灯させておいてもよい。
【００１５】
また、本発明は、販売待機時において照明部を点灯または点滅させながらバケットユニットを移動させるように制御する制御手段を備えたことにより、当該自動販売機を遠くからでも目立たせることができ、集客力を向上させることができる。
【発明を実施するための最良の形態】
【００１６】
以下、本発明の実施の形態を図面を参照しながら説明する。ここで、図１は本発明の実施の形態に係る自動販売機の全体正面図、図２は同自動販売機の全体斜視図、図３は同自動販売機の簡略的な側面断面図（図２、図３は商品を省いた状態を簡略的に示している）、図４は同自動販売機におけるバケットユニットを駆動するＸ−Ｙ搬送機構を簡略的に示す斜視図、図５は商品取出口およびその近傍箇所の要部切欠斜視図である。
【００１７】
図１〜図３に示すように、自動販売機１は、その前面部に透光性を有する透光性パネルが配設され、この透光性パネルを通して内部の商品収納部に収納された商品を視認できるよう構成されている。詳しくは、自動販売機本体２に開閉自在に取り付けられている前面扉（いわゆる外扉）３と、自動販売機本体２内の断熱空間を形成する内箱４の前面開口部を開閉する内扉５との、上部から中央部にかけて、透明な樹脂板やガラス板などからなる透光性パネル６（６Ａ、６Ｂ）が嵌め込まれており、これらの透光性パネル６（６Ａ、６Ｂ）を通して、内箱４の内部である商品収納部７に収納された商品８を利用者が視認できるよう構成されている。なお、この実施の形態では、断熱性を高めるために、内扉５に間隔をあけて前後２枚の透光性のガラスパネル６Ｂ（いわゆるペアガラス）がはめ込まれているが、これに限るものではない。また、図１〜図３における９、１０は前面扉３に設けられている商品取出口およびこの商品取出口９を開閉する取出口扉、１７は入力用のテンキーなどが設けられている操作部、３４はコイン投入口、３５は釣銭返却用押ボタン、３６は投入金額ならびに商品選択時に選択した商品の識別番号等を表示する表示部、３７は紙幣投入口、３８は釣銭返却口、３２Ａ、３２Ｂは商品収納部７等の庫内空間を照明する蛍光灯などからなる庫内照明装置、３３Ａ、３３Ｂ（図３参照）は透光性を有する照明カバーである。また、この実施の形態では、内箱４の底面部以外は、自動販売機本体の外枠（いわゆる外箱）と共通化して構成されている場合を示しているが、これに限るものではない。
【００１８】
内箱４内には、商品８を前後一列に収納する収納コラム１１を上下段、左右列に並べて商品収納部７を構築し、この商品収納部７に対して、その前方（手前側）にバケットユニット１２を搭載したＸ（左右）−Ｙ（上下）搬送機構１３（図４において簡略的に示す）を配備し、販売指示があった際に収納コラム１１から払い出した商品８をバケットユニット１２に移載して、前面扉３に設けられた（この実施の形態では、前面扉３の向かって左側の高さ方向中央部に設けられている）商品取出口９に送出する構造とされている。なお、Ｘ−Ｙ搬送機構１３は、この実施の形態においては、内箱４内の左端部と右端部においてそれぞれ上下に延びる縦案内部材（図示せず）に沿って昇降する左右に長い矩形枠状の昇降フレーム１５内で、バケットユニット１２が、昇降フレーム１５内において左右に延びる姿勢で組み付けられた横ガイドロッド１６に沿って、左右方向（Ｘ方向）に移動自在に支持されている。そして、昇降フレーム１５全体が図示しない昇降モータによりＹ（上下）方向の任意の位置に移動される構成とされ、また、昇降フレーム枠１５内の下部において左右に延びる状態で架け渡された無端状の横移動ベルト１４の一部にバケットユニット１２が固定され、横移動ベルト１４を移動させる横駆動モータ４５の駆動力によって、横移動ベルト１４とともにバケットユニット１２が一体的に左右方向（Ｘ方向）に移動されるよう構成されており、この結果、バケットユニット１２がＸ（左右）−Ｙ（上下）方向に対して任意の位置に移動可能とされている。なお、Ｘ−Ｙ搬送機構１３によりバケットユニット１２がＸ（左右）−Ｙ（上下）方向に移動できればよく、前記構造に限定されない。
【００１９】
商品８を移載するバケットユニット１２は、販売待機時には、図１に示すように、商品取出口９の後方など、正面から見えない場所に配置されている。一方、商品８を購入しようとする利用者が、前面扉３に設けられている操作部１７を操作して、購入商品に対応する識別番号などを入力すると、その識別番号に対応する収納コラム１１まで、バケットユニット１２が移動され（図１２参照）、このバケットユニット１２に、収納コラム１１から払い出した商品８が移載され、さらに、バケットユニット１２が商品取出口９に対応する位置まで移動して（図５参照）、商品取出口９内に排出される。
【００２０】
図６、図７に示すように、この実施の形態では、バケットユニット１２は、背面側が開放され、前面側に開口部２０ａが設けられた平面視略コ字状の本体２０の底面部に、前後方向に移動自在で無端状の移送用ベルト１８が掛け渡された状態で配置された構成とされている。そして、バケットユニット１２における移送用ベルト１８よりも下方の箇所に配設された駆動モータ１９の駆動力が減速機構３９を介して移送用ベルト１８に伝達されて、移送用ベルト１８の上面部分が奥側より手前側に移動されることで、商品８を収納コラム１１側からバケットユニット１２内に引き込んだり、バケットユニット１２側から商品取出口９側に排出できるよう構成されている。
【００２１】
また、図８、図９に示すように、収納コラム１１の下辺部における前端部から後端部にかけても前後方向に移動自在で無端状の移動ベルト２１が掛け渡されている（なお、移動ベルト２１の上面となる箇所は金属製の支持板４０（図８（ｂ）参照）により下方から支持されている）が、この収納コラム１１には前記移動ベルト２１の駆動源は設けられておらず、バケットユニット１２が対応してその手前部分に配置された際に、このバケットユニット１２の前記駆動モータ１９の駆動力が、図９（ｂ）、（ｃ）に示すように、駆動プーリ２２ａ、ベルト２２ｂ、力伝達軸２２ｃ、ローラ２２ｄなどを有する力伝達機構２２を介して、収納コラム１１の前記移動ベルト２１に伝達されて、移動ベルト２１とともに商品８が手前側に送り出されるようになっている。なお、図８における２３は移動ベルト２１の上面の一部から立設した状態で一体的に固定されて、商品８が後方に倒れることを防止する倒れ防止板である。
【００２２】
また、図８、図９に示すように、収納コラム１１の前端部には、一番手前の商品が前方に移動することを規制する規制ゲート２４が開閉自在に支持されており、バケットユニット１２の一部から収納コラム１１の所定箇所内に突入自在のピン２７が、バケットユニット１２の下端部に収納された出退用駆動モータ２８の駆動力でリンク機構２６等を介して出退されることで、収納コラム１１の前端部に内装された前後に移動可能なスライダ２９を押すようになっている。そして、このスライダ２９の上面部の一部に形成された係合凸部２９ａは、規制ゲート２４の中心軸部後延部外周において後方に伸びるように形成された異形の突条部２４ｂに係合され、前記ピン２７の突出動作によりスライダ２９が後方に押し込まれることで、前記係合凸部２９ａおよび突条部２４ｂを介して、規制ゲート２４が開姿勢に回転して、一番手前の商品８が手前に移動されるとともにバケットユニット１２側に押し出されることが許容されるよう構成されている。なお、このバケットユニット１２と収納コラム１１との詳しい構造については、本出願人の出願内容を開示する特開２００４−２９５３４１号公報を参照されたい。
【００２３】
このようにして、バケットユニット１２が、払い出し指示を受けた収納コラム１１の手前位置に移動された状態で、バケットユニット１２に組みつけられた駆動モータ１９や出退用駆動モータ２８が駆動されることで、これらの駆動力が、収納コラム１１側に伝達されて、規制ゲート２４が開けられるとともに移動ベルト２１の上面部分が手前側に移動するように駆動されて、最も手前の商品８が収納コラム１１側からバケットユニット１２内に移送される。なお、この構成に限るものではなく、収納コラム１１側からバケットユニット１２に商品８を送り出せる構成であればよい。
【００２４】
図５などに示すように、前面扉３に設けられた商品取出口９の背面上部には、バケットユニット１２により搬出されてきた商品８が投入される投入開口部９ｂが形成されているが、内扉５における、投入開口部９ｂに対応する位置に排出孔部３１が形成されている。この排出孔部３１は、その上端部において回動自在に支持された搬出扉３０が開閉自在に取り付けられている。
【００２５】
図５、図６、図１０などに示すように、バケットユニット１２におけるバケット本体２０の前面部に形成された開口部２０ａには、バケットユニット１２から商品８が排出されたことを検知する検知用扉４２が開閉自在に取り付けられている。そして、検知用扉４２が開けられると、検知用扉４２の向かって左側の一部から後方に突出して設けられた検知用突部４２ａが、バケットユニット１２に内蔵された光透過式等の検知センサ４６Ａ、４６Ｂ（図６参照）の光経路が接続されることでＯＮされ（検知用扉４２が閉じられるとＯＦＦされ）、この検知用扉４２の開閉動作を検知できるよう構成される。なお、図５における４３は、検知用扉４２の背面上部に開閉自在に設けられる防盗用扉である。
【００２６】
さらに特に、本発明においては、図５、図１０、図１１に示すように、バケットユニット１２におけるバケット本体２０の前面部下部に、照明部としてのＬＥＤ部４４が、複数個横方向に並べられて配設されている。（なお、図１０においては、バケット本体２０の前面部および両側面部を覆うカバーを取り付けた状態を示しており、図１１は前記カバーを取り外した状態を示している。）そして、図示しない制御部により商品８の排出指示があって、バケットユニット１２が、待機位置である商品取出口９の背面箇所から、排出指示に対応する収納コラム１１の箇所まで移動開始され（図１２参照）、その後、その商品８がバケットユニット１２に取り込まれて、また、商品取出口９内に搬出されるまでの間、前記ＬＥＤ部４４が点滅するように制御される。
【００２７】
また、商品取出口９内に商品を排出した後は、例えば所定時間（例えば１５秒間）だけ、ＬＥＤ部４４が点灯されて、商品取出口９内の商品８などが照らされるようになっている。なお、この実施の形態においては、商品取出口９の天井面をなす部分に、庫内を照らす庫内照明装置３２Ａからの光を通す孔部９ｃ（図５参照）が複数形成されている。
【００２８】
上記構成において、利用客の商品購入動作が行われて、制御部により商品８の排出指示があった場合には、バケットユニット１２の対応する収納コラム１１への移動動作と、収納コラム１１からバケットユニット１２内への商品８の排出動作と、前記収納コラム１１の位置から商品取出口９の後方位置への移動動作と、バケットユニット１２内から商品取出口９内への排出動作とが行われ、これらの動作を全て行うのに比較的長い時間がかかる。
【００２９】
しかしながら、本発明においては、図１０、図１２に示すように、これらの移動動作（搬送動作）の際、すなわち、バケットユニット１２を商品取出口９の後方位置から移動させて収納コラム１１から払い出された商品８をバケットユニット１２で受け取って商品取出口９内まで搬送する際に、移動しているバケットユニット１２に設けられた照明部としてのＬＥＤ部４４が点滅するため、利用客はこの移動しながら点滅するＬＥＤ部４４を外部から良好に視認でき、商品８が搬送中であることを認識したり、移動するＬＥＤ部４４を見て楽しんだりする（アミューズメント性を高める）ことができ、この結果、商品取出口９に商品８が排出されるまでの、利用者の、気が急きながら思うようにならずいらいらする感情（いわゆるイライラ感）を緩和させることができる。
【００３０】
なお、この際、ＬＥＤ部４４を点滅ではなくて、点灯させたり、左右に点灯部が流れるように順に点灯制御させたりしてもよく、また、このバケットユニット１２の移動時に常時点灯させる代わりに、移動時の一部の時間だけ、例えば、バケットユニット１２を収納コラム１１から商品取出口９側まで移動させる際だけ、点滅させたり、点灯させたりしてもよい。
【００３１】
また、上記構成によれば、バケットユニット１２が収納コラム１１から商品８を取り込んで、商品取出口９に対応する位置に移動した際に、バケットユニット１２のＬＥＤ部４４を点灯させ、商品取出口９の内部をＬＥＤ部４４により照明するように構成したことにより、商品取出口９の内部が、この商品取出口９から離れた位置の庫内照明装置３２Ａによって孔部９ｃを通して照明されるだけでなく、バケットユニット１２の前面部に設けられたＬＥＤ部４４によっても照明されるので、商品取出口９内に払い出された商品８が、庫内照明装置３２Ａだけで照明されている場合と比較して、より明るく照明されて視認し易くなり、商品８の取り出しの際に便利となる。
【００３２】
また、このＬＥＤ部４４は、上記のように、バケットユニット１２の移動時に点滅させて利用者のいわゆるイライラ感を緩和するためにも用いられて兼用されているので、別途に商品取出口９に内部を照らす照明部を設けた場合と比較すると、製造コストの増加を抑えることができる。
【００３３】
なお、この構成により、省エネルギーのために、商品収納部７等の庫内空間を照明する蛍光灯などからなる庫内照明装置３２Ａ、３２Ｂを消灯した場合でも、商品取出口９に商品８が排出された際に、商品８を良好に照らすことができて、利便性を向上させることができ、また、省エネルギーによる電気代の削減も可能となる。
【００３４】
また、さらに上記構成に加えて、販売待機時において、ＬＥＤ部４４を点灯または点滅させながらバケットユニット１２を移動させるように制御部で制御する構成としてもよい。
【００３５】
つまり、従来のシースルー型の自動販売機においては、販売待機時にはバケットユニット１２は商品取出口９の後方に待機しているだけであったため、販売待機時に自動販売機を目立たせることは殆ど行えなかった。また、一般の自動販売機においては、前面扉に多数の商品見本が展示されているとともに、各商品見本に対応して商品選択ボタンが設けられているが、近年の自動販売機では、自動販売機を目立たせるために、販売待機時に前記商品選択ボタンをランダムに点滅させるように構成したものがある。これに対して、シースルー型の自動販売機においては、商品見本やこれに対応する商品選択ボタンが設けられていないので、商品選択ボタンを点滅させることができない。
【００３６】
しかしながら、本発明の上記構成によれば、販売待機時において、ＬＥＤ部４４を点灯または点滅させながらバケットユニット１２を移動させることで、いわゆるイルミネーション効果を発揮できて、当該自動販売機１を遠くからでも目立たせることができ、集客力を向上させることができる。
【００３７】
なお、このバケットユニット１２のＸＹ方向の移動時に、ＸＹ移動量を自在に変更するよう設定したり、移動速度を変更したりすることも可能であり、これにより、イルミネーション効果を一層大きくすることができる。
【００３８】
また、上記実施の形態では照明部としてＬＥＤを用いた場合を述べたが、これに限るものではなく、他の照明装置（例えば、豆電球など）でもよいことはもちろんである。
【図面の簡単な説明】
【００３９】
【図１】本発明の実施の形態に係る自動販売機の全体正面図である。
【図２】同自動販売機の全体斜視図（商品がない状態を簡略的に示している）である。
【図３】同自動販売機の簡略的な側面断面図（商品がない状態を簡略的に示している）である。
【図４】同自動販売機におけるバケットユニットを駆動するＸ−Ｙ搬送機構を簡略的に示す斜視図である。
【図５】同自動販売機における商品取出口およびその近傍箇所の要部切欠斜視図である。
【図６】（ａ）および（ｂ）はそれぞれ同自動販売機におけるバケットユニットを背面側からみた斜視図である。
【図７】（ａ）および（ｂ）はそれぞれ同自動販売機におけるバケットユニットの左側面図である。
【図８】（ａ）および（ｂ）は同自動販売機の収納コラムの斜視図および側面図である。
【図９】（ａ）〜（ｃ）はそれぞれ同自動販売機におけるバケットユニットのピンに応じて規制ゲートが開閉する様子を示す要部左側面図である。
【図１０】同自動販売機における収納コラムの手前箇所にバケットユニットが移動した状態を示す図である。
【図１１】同自動販売機のバケットユニットの斜視図（バケットユニットの外側枠部分をなすパネルを取り外した状態）である。
【図１２】同自動販売機の正面図で、収納コラムの手前箇所にバケットユニットが移動した状態を示す。
【図１３】（ａ）および（ｂ）は従来の自動販売機の自動販売機本体の正面図および全体側面断面図である。
【図１４】（ａ）および（ｂ）は同従来の自動販売機の全体正面図および前面扉を開けた状態の全体斜視図である。
【符号の説明】
【００４０】
１      自動販売機
２      自動販売機
３      前面扉
４      内箱
５      内扉
６、６Ａ、６Ｂ    透光性パネル
７      商品収納部
８      商品
９      商品取出口
１１    収納コラム
１２    バケットユニット
１３    Ｘ−Ｙ搬送機構
１５    昇降フレーム
２０    バケット本体
４２    検知用扉
４４    ＬＥＤ部（照明部）
【図１】
2008262249.tif 000003
【図２】
2008262249.tif 000004
【図３】
2008262249.tif 000005
【図４】
2008262249.tif 000006
【図５】
2008262249.tif 000007
【図６】
2008262249.tif 000008
【図７】
2008262249.tif 000009
【図８】
2008262249.tif 000010
【図９】
2008262249.tif 000011
【図１０】
2008262249.tif 000012
【図１１】
2008262249.tif 000013
【図１２】
2008262249.tif 000014
【図１３】
2008262249.tif 000015
【図１４】
2008262249.tif 000016